(57)【要約】【課題】光伝送路を伝搬する通信光の有無を検知することができると共に、光伝送路における光損失の発生の有無を検知することができる光検知器を提供する。【解決手段】光伝送路同士を接続する部分に設けられて光伝送路を伝搬する通信光の一部を取り出す光取り出し手段２を備えた光コネクタ３に接続され、光取り出し手段２からの漏洩光を検知する光検知器１において、漏洩光の光量から検知した通信光の光量を出力する出力手段を備えたものである。【選択図】図１
2011013360.tif 000002
【特許請求の範囲】
【請求項１】
光伝送路同士を接続する部分に設けられて前記光伝送路を伝搬する通信光の一部を取り出す光取り出し手段を備えた光コネクタに接続され、前記光取り出し手段からの漏洩光を検知する光検知器において、
前記漏洩光の光量から検知した前記通信光の光量を出力する出力手段を備えたことを特徴とする光検知器。
【請求項２】
前記漏洩光を受光する受光部と、該受光部にて受光した前記漏洩光の光量を検知し、前記漏洩光の光量に基づいて前記通信光の光量を検知して出力する検知部とをさらに備え、前記出力手段は、前記検知部にて検知した前記通信光の光量を表示する光量表示部を有する請求項１に記載の光検知器。
【請求項３】
前記光量表示部は、前記検知部にて検知された前記通信光の光量を含む所定範囲の通信光の光量の最低値が表示される請求項２に記載の光検知器。
【請求項４】
前記受光部にて受光した前記漏洩光から装置識別信号を検知し、該装置識別信号に含まれる識別番号から装置識別情報を取得する装置識別部と、該装置識別部で取得した前記装置識別情報を表示する識別情報表示部とをさらに備える請求項１又は２に記載の光検知器。
【請求項５】
前記装置識別部は、外部装置に記憶されたデータベースと通信する通信手段を備え、該通信手段により前記装置識別番号を前記データベースと照会して前記装置識別情報を取得する請求項４に記載の光検知器。
【請求項６】
光伝送路同士を接続する部分に設けられて前記光伝送路を伝搬する通信光の一部を取り出す光取り出し手段を備えた光コネクタが前記光伝送路の複数箇所に設けられており、請求項１〜５のいずれかに記載の光検知器が前記光コネクタに接続されることで前記光伝送路の複数箇所の前記通信光の光量が検知され、光損失の発生箇所が特定されることを特徴とする光伝送システム。
【発明の詳細な説明】
【技術分野】
【０００１】
本発明は、光伝送路を伝搬する通信光の有無を検知する光検知器及びこれを用いた光伝送システムに関するものである。
【背景技術】
【０００２】
データセンタや局舎などの光通信関連設備では、光伝送路を伝搬する通信光は、可視光領域にない不可視光であることが多いため、目視にて確認することができない。そのため、光伝送路が使用されているか否かといった運用状態を容易に把握できず、また、使用中の光伝送路を未使用と誤認して、光コネクタを抜いてしまうなどの問題があった。
【０００３】
そこで、光通信関連設備の保守性や運用効率を向上させるため、光ファイバを接続した状態で、光伝送路を伝搬される通信光の有無を目視で確認するための光検知器が検討されている。
【０００４】
例えば、光ファイバが内蔵された割スリーブ内で突き合わせ接続されるフェルールの端面同士の間にギャップを設け、そのギャップに光透過性樹脂からなる導波体を設け、導波体の上方に導かれた通信光の一部を蛍光体で受光し、通信光の伝搬の有無を検出する光検知器が提案されている（例えば、特許文献１参照）。
【０００５】
また、光ファイバを内蔵した２つのフェルール間に光導波路基板を配置し、通信光の一部を光導波路基板にて分岐して通信光出力部へ取り出すことにより、通信光の有無を確認する光検知器が提案されている（例えば、特許文献２参照）。
【０００６】
通信光の一部を分岐して取り出す分岐器を使用し、分岐光の端末部に可視光変換素子を取り付ける光検知器が提案されている（例えば、特許文献３参照）。
【０００７】
このように、従来の光検知器では、取り出した通信光の一部を可視光に変換して出力することで、通信光の有無を目視で確認できるようにしている。
【先行技術文献】
【特許文献】
【０００８】
【特許文献１】特開２００４−１７０４８８号公報
【特許文献２】特開２００４−１３３０７１号公報
【特許文献３】特開２００３−２１８８１３号公報
【特許文献４】特開２００２−２１４４８７号公報
【特許文献５】特開２００４−１７７５４９号公報
【発明の概要】
【発明が解決しようとする課題】
【０００９】
ところで、光通信関連設備において、従来の光検知器を光伝送路内に配置させることにより、任意の光伝送路を伝搬する通信光の有無を把握することはできるものの、光伝送路の劣化等によって光損失が発生しているか否かは把握することができない。
【００１０】
そのため、通信障害等の問題が生じる前に、光損失が発生した光伝送路の交換や切り替え等の措置を講じることができない場合があり、従来の光検知器で光通信関連設備の保守性や運用効率を向上させるのに十分であるとは言い難い。
【００１１】
そこで、本発明の目的は、光伝送路を伝搬する通信光の有無を検知することができると共に、光伝送路における光損失の発生の有無を検知することができる光検知器及びこれを用いた光伝送システムを提供することにある。
【課題を解決するための手段】
【００１２】
本発明は上記目的を達成するために創案されたものであり、請求項１の発明は、光伝送路同士を接続する部分に設けられて前記光伝送路を伝搬する通信光の一部を取り出す光取り出し手段を備えた光コネクタに接続され、前記光取り出し手段からの漏洩光を検知する光検知器において、前記漏洩光の光量から検知した前記通信光の光量を出力する出力手段を備えたことを特徴とする光検知器である。
【００１３】
請求項２の発明は、前記漏洩光を受光する受光部と、該受光部にて受光した前記漏洩光の光量を検知し、前記漏洩光の光量に基づいて前記通信光の光量を検知して出力する検知部とをさらに備え、前記出力手段は、前記検知部にて検知した前記通信光の光量を表示する光量表示部を有する請求項１に記載の光検知器である。
【００１４】
請求項３の発明は、前記光量表示部は、前記検知部にて検知された前記通信光の光量を含む所定範囲の通信光の光量の最低値が表示される請求項２に記載の光検知器である。
【００１５】
請求項４の発明は、前記受光部にて受光した前記漏洩光から装置識別信号を検知し、該装置識別信号に含まれる識別番号から装置識別情報を取得する装置識別部と、該装置識別部で取得した前記装置識別情報を表示する識別情報表示部とをさらに備える請求項１又は２に記載の光検知器である。
【００１６】
請求項５の発明は、前記装置識別部は、外部装置に記憶されたデータベースと通信する通信手段を備え、該通信手段により前記装置識別番号を前記データベースと照会して前記装置識別情報を取得する請求項４に記載の光検知器である。
【００１７】
請求項６の発明は、光伝送路同士を接続する部分に設けられて前記光伝送路を伝搬する通信光の一部を取り出す光取り出し手段を備えた光コネクタが前記光伝送路の複数箇所に設けられており、請求項１〜５のいずれかに記載の光検知器が前記光コネクタに接続されることで前記光伝送路の複数箇所の前記通信光の光量が検知され、光損失の発生箇所が特定されることを特徴とする光伝送システムである。
【発明の効果】
【００１８】
本発明によれば、光伝送路を伝搬する通信光の有無を検知することができると共に、光伝送路における光損失の発生の有無を検知することができる。
【図面の簡単な説明】
【００１９】
【図１】本発明の一実施の形態を示す光検知器の斜視図である。
【図２】図１の光検知器と光検知器を取り付ける光コネクタを示す断面図である。
【図３】本発明の他の実施の形態を示す光検知器の斜視図である。
【図４】図３の光検知器とデータベースとの間において、伝送情報を送受信させたときの模式図である。
【図５】本発明の一実施の形態を示す光伝送システムの概略図である。
【発明を実施するための形態】
【００２０】
以下、本発明の好適な実施の形態を添付図面にしたがって説明する。
【００２１】
図１は、本発明の一実施の形態を示す光検知器の斜視図であり、図２は、図１の光検知器と光検知器を取り付ける光コネクタを示す断面図である。
【００２２】
図１、図２に示すように、光検知器１は、伝送装置間を接続する光伝送路（例えば光ファイバ）中に設けられその光伝送路を伝搬する通信光の一部を漏洩させる光取り出し手段２を備えた光コネクタ３（詳細は後述）に、接続され、その光取り出し手段２からの漏洩光を検知するものであり、この漏洩光の光量から検知した通信光の光量を出力する出力手段を備える。
【００２３】
また、光検知器１は、漏洩光を受光すると共に受光した漏洩光を電気信号に変換する受光部４と、受光部４にて受光した漏洩光の光量を検知し、その漏洩光の光量に基づいて通信光の光量を検知して出力する検知部（図示せず）とをさらに備える。本実施の形態において、出力手段は、検知部にて検知した通信光の光量を表示する光量表示部５で構成される。つまり、出力手段は、受光部４で受光した漏洩光に基づいて検知部で検出（算出）した通信光の光量を人が認識できる形で出力するためのものである。また、受光部４及び検知部は、回路基板６に実装され、光検知部が構成される。光検知部を構成する回路基板６は略直方体状の筐体（光検知器本体）７内に収容される。
【００２４】
受光部４は、光検知器１を光コネクタ３に接続した際に、光取り出し手段２と対向するように、筐体７の底面から突出して設けられる。受光部４は、光コネクタ３の光取り出し手段２によって漏洩された通信光の一部（漏洩光）を受光して電気信号に変換するためのものであり、ＰＤ（フォトダイオード）などの光起電力効果型の光センサからなる。この光センサから出力される電気信号を損失なく後段（検知部）へ伝送するために、増幅器をさらに備えるようにしてもよい。
【００２５】
光量表示部５は、複数の発光素子からなり、それぞれの発光素子は筐体７の上面に設けられる。発光素子は、例えばＬＥＤ（発光ダイオード）からなる。これら発光素子は、検知部で検出された通信光の光量に基づいて発光されて光伝送路を伝搬する通信光の光量を表示（図１、図２では、−１０ｄＢｍ、−２０ｄＢｍ、−３０ｄＢｍ、−４０ｄＢｍの各光量を表示）する。
【００２６】
例えば、通信光の光量が検知されていない場合は、「ＯＦＦ」の発光素子が発光されて通信光の光量が検知されていないことを表示する。また、通信光の光量が−４０ｄＢｍ未満の範囲の場合（ＯＦＦの場合を除く）、全ての発光素子が発光されずに、−４０ｄＢｍ未満であることを表示する。さらに、通信光の光量が−４０ｄＢｍ以上−３０ｄＢｍ未満の範囲の場合は、「−４０ｄＢｍ」の発光素子が発光されて通信光の光量が−４０ｄＢｍ以上−３０ｄＢｍ未満の範囲であることを表示する。同様に、−３０ｄＢｍ以上−２０ｄＢｍ未満の範囲、或いは−２０ｄＢｍ以上−１０ｄＢｍ未満の範囲の場合、「−３０ｄＢｍ」或いは「−２０ｄＢｍ」の発光素子が発光されてそれぞれの光量を表示する。また、通信光の光量が−１０ｄＢｍ以上の場合は、「−１０ｄＢｍ」の発光素子が発光されて通信光の光量が−１０ｄＢｍ以上であることを表示する。
【００２７】
つまり、光量表示部５は、少なくとも検知部にて検知された通信光の光量を含む所定範囲の通信光の光量の最低値を補償する（表示する）光量表示手段を有する。
【００２８】
この他にも筐体７内には、受光部４や検知部、発光素子に電力を供給するための電力供給部（例えば、電池など）８が収容される。
【００２９】
筐体７の上面には、電力供給部８からの電力の供給の有無を切り替えるための電源スイッチ９が設けられる。他方、筐体７の底面には、光コネクタ３に形成されたガイド溝１０に挿入される複数（図１、図２では４つ）の脚部１１が形成される。
【００３０】
図１、図２では、通信光の光量を出力する４つの発光素子と、通信光の有無を表示する１つの発光素子とを設ける場合を示しているが、通信光の光量をより細かく表示できる、つまり検知部で検出した光量をそのままの値で出力する発光素子を備えるようにしてもよい。
【００３１】
光検知器１を接続する光コネクタ３の一例を説明する。
【００３２】
図２に示すように、光コネクタ３は、サーバ等の伝送装置間を接続する光伝送路中に設けられその光伝送路同士を光接続すべく、コネクタ本体１２内に光伝送路と光結合するコア部及びクラッド部を有する接合体１３を備える。なお、コア部及びクラッド部の各外径は、伝送損失の発生を抑制するという点で、光伝送路（例えば光ファイバ）のコア及びクラッドの各外径と等しいことが好ましい。
【００３３】
接合体１３の両端部外周は、コネクタ本体１２内に収容されたスリーブ１４，１５にそれぞれ嵌入され、固定される。接合体１３の両端面には、光コネクタ３の使用時に、一方の伝送装置側のＳＣコネクタが備える円筒状のフェルールと他方の伝送装置側のＳＣコネクタが備える円筒状のフェルールがそれぞれ挿入されて突き合わせ接続される。一方の伝送装置側のフェルールには光伝送路である一方の伝送装置側の光ファイバが内蔵され、他方の伝送装置側のフェルールには光伝送路である他方の伝送装置側の光ファイバが内蔵される。接合体１３の外径は、一方の伝送装置側及び他方の伝送装置側のフェルールの外径と同じであり、接合体１３のコア部及びクラッド部が光伝送路である一方の伝送装置側及び他方の伝送装置側の光ファイバと同一直線状となるように配置されている。
【００３４】
接合体１３は、コア部を伝搬する通信光の一部を取り出すための光取り出し手段２を構成している。光取り出し手段２は、通信光の一部を光検知器１側（の方向）へ取り出すものである。
【００３５】
光取り出し手段２は、例えば、接合体１３の受光部４と対向する位置に、接合体１３の表面からコア部までを少なくとも貫通するように、通信光の一部を漏洩光として取り出すための光検知用溝を形成して構成される。光検知用溝は、受光部４と対向する位置の接合体１３に、受光部４の受光面に対して垂直に形成され、縦断面視で略矩形状（凹状）に形成される。なお、光取り出し手段２は、光検知用溝を形成した接合体１３に限るものではなく種々の変更が可能である。
【００３６】
光取り出し手段２である接合体１３を収容するコネクタ本体１２は、角形筒状であり、一端部（図２では左側）が例えば一方の伝送装置側の光コネクタアダプタ１６となり、他端部（図２では右側）が他方の伝送装置側の光コネクタアダプタ１７となる。
【００３７】
コネクタ本体１２内の中央部には、２つのスリーブ１４，１５と、これらスリーブ１４，１５間の内側に保持される接合体１３とが収容される。コネクタ本体１２内の接合体１３の上部には、光取り出し手段２で一部を取り出した通信光を光検知器１に出力するための光出力ポート１８が形成される。
【００３８】
光出力ポート１８は、光取り出し手段２からの出力（漏洩光）を光検知器１に出力すると共に、その光検知器１をコネクタ本体１２に対して着脱自在に挿抜する検知孔１９からなる。この検知孔１９に異物が入り込むのを防止するため、コネクタ本体１２には、コネクタ本体１２に光検知器１が取り付けられていないときに、検知孔１９に異物が入り込むのを防止するカバー２０が開閉自在に設けられ、そのカバー２０には、検知孔１９に嵌合する円柱状の防塵栓２１が形成される。
【００３９】
また、コネクタ本体１２の側面には、光検知器１を取り付ける際に、光検知器１の受光部４を光出力ポート１８の検知孔１９にガイドして、光検知器１の位置決めを行うためのガイド溝１０が形成される。
【００４０】
本実施の形態に係る光検知器１の作用を説明する。
【００４１】
光検知器１にて通信光の検知を行う際は、光コネクタ３のカバー２０を開けて光出力ポート１８を露出させた後、光検知器１の脚部１１を光コネクタ３のガイド溝１０に沿って挿入する。すると、光検知器１の筐体７の底面から突出した受光部４が、位置決めされた状態で光出力ポート１８である検知孔１９に収容される。この状態で、電源スイッチ９をＯＮにすることで、通信光の検知が可能となる。
【００４２】
光検知器１では、受光部４にて、光コネクタ３の光取り出し手段２からの漏洩光を受光すると共に受光した漏洩光を電気信号に変換する。検知部では、受光部４にて受光した漏洩光の光量を検知し、その検知した漏洩光の光量に基づいて通信光の光量を検知（算出）する。例えば、光コネクタ３の光取り出し手段２が通信光の１／１０００の漏洩光を取り出すように設計されているとすると、検知した漏洩光の光量を１０００倍すれば通信光の光量を算出することができ、通信光の光量を得られる。
【００４３】
通信光の光量が得られたら、その光量を光量表示部５で表示する。すなわち、検知部で検知した通信光の光量に基づいて発光素子を発光させる。例えば、光量が−１０ｄＢｍであれば−１０ｄＢｍを表示する発光素子を発光させ、光量が検出できない（漏洩光がない、或いは極めて小さい）ときにはＯＦＦを表示する発光素子を発光させる。この発光素子の選択は既知のブリッジ回路等で実現すればよい。
【００４４】
このように、本実施の形態に係る光検知器１によれば、漏洩光の光量から検知した通信光の光量を出力する出力手段を備えるため、通信光の有無に加えて通信光の光量をも検知することが可能となる。
【００４５】
また、光検知器１は、漏洩光を受光すると共に受光した漏洩光を電気信号に変換する受光部４と、受光部４にて受光した漏洩光の光量を検知し、その漏洩光の光量に基づいて通信光の光量を検知して出力する検知部とを備え、出力手段が検知部にて検知した通信光の光量を表示する光量表示部５で構成されるため、簡易な構造で通信光の光量の表示を実現することができる。
【００４６】
また、光量表示部５により、少なくとも表示された（発光された）通信光の光量の値以上の光量が得られている（検知されている）ことがわかる。したがって、光伝送路を伝搬する通信光の光量を検知し、この検知した光量を通信光の初期の光量と比較することにより、光伝送路における光損失の発生の有無を知ることができ、これにより光伝送路の劣化等を判別し、通信障害等の問題が生じる前に、光損失が発生した光伝送路の交換や切り替え等の措置を講じることができ、従来の光検知器よりも光通信関連設備の保守性や運用効率を向上させることができる。
【００４７】
さらに、本実施の形態では、光検知器１と光コネクタ３とを別体としているため、通信光の有無や通信光の光量を確認する必要があるときだけ光検知器１を取り付けることができ、常時は光検知器１を別体として取り外しておくことができる。そのため、光検知器１が１台あれば複数の光コネクタ３の通信光を検知することができる。データセンタや局舎などの光通信関連設備では、非常に多くの光コネクタを用いている場合が多く、光検知器１と光コネクタ３を一体とした場合に比べて光検知器に係るコストを大幅に削減することが可能となる。
【００４８】
本実施の形態では、発光素子にて通信光の有無や通信光の光量を出力するものとしたが、表示方法はこれに限られず、ＬＣＤ（液晶ディスプレイ）を用いて文字情報として表示するようにしてもよい。
【００４９】
次に、本発明の他の実施の形態を図３、図４にしたがって説明する。図３、図４では、図１の光検知器１の各部材と同様の機能を有するものには図１と同じ符号を付すものとする。
【００５０】
図３に示すように、本発明の他の実施の形態に係る光検知器１００は、図１、図２の光検知器１において、受光部４にて受光した漏洩光から装置識別信号を検知し、この検知した装置識別信号に含まれる識別番号（識別Ｎｏ．）から装置識別情報を取得する装置識別部と、装置識別部で取得した装置識別情報を表示する識別情報表示部１０１とをさらに備えたものである。なお、装置識別部は、検知部に設けられていてもよく、また、検知部とは別に設けられていてもよい。
【００５１】
装置識別信号は、伝送装置間で通常に送受信されるフレームでもよいし、伝送装置間で装置識別用の専用の信号を定期的に送信させるようにしてもよい。この装置識別信号から読み取る識別番号とは、例えば、専用のフレームに格納した値や、送信フレーム中のディスティネーションアドレスやセンドアドレスなどの領域に格納されるＭＡＣアドレスやＩＰアドレスのことである。
【００５２】
装置識別部は、無線或いは有線により外部装置（データベースなど）と通信する通信手段を備える。識別情報表示部１０１は、光検知器１００の筐体７の上面に設けられる。識別情報表示部１０１は、ＬＣＤ（液晶ディスプレイ）などの文字情報表示機能を有するものからなる。外部装置は、装置識別信号に対応する装置識別情報を予めデータベースとして記憶させた通信手段を有するデータベースサーバ等のことである。装置識別情報とは、例えば、通信光を検知している光コネクタに接続されている伝送装置（接続装置）や回線Ｎｏ．、その回線に用いられている光ファイバの種別、その光ファイバの伝送速度などのことである。
【００５３】
本発明の他の実施の形態に係る光検知器１００の作用を説明する。
【００５４】
この光検知器１００は、受光部４で漏洩光を受光すると、装置識別部により漏洩光から装置識別信号を読み取る（例えば、センドアドレスの領域を参照して送信元アドレスを取得する）。図４に示すように、装置識別部は、その通信手段によって、漏洩光から読み取った識別番号（例えば、送信元アドレス）を外部装置に送信する。外部装置は、装置識別部から送信された識別番号を受信した後、自身に記憶されたデータベース１０２を参照して識別番号と対応する装置識別情報を抽出し、この装置識別情報を光検知器１に送信する。
【００５５】
例えば、外部装置が、装置識別部から識別番号として「００２」を受信した場合、データベース１０２を参照して、識別番号「００２」に対応する接続装置「ＡＡＢ」、回線Ｎｏ．「２ｂ−２ｂ」、光ファイバ種別「ＭＭＦ（５０：コア径）」、伝送速度「１Ｇｂｐｓ」を抽出し、これらの装置識別情報を光検知器１に送信する。
【００５６】
そして、光検知器１の装置識別部は、外部装置から送信された装置識別情報を受信して、得られた装置識別情報を識別情報表示部１０１に表示する。また、光量表示部５には通信光の光量が表示される。
【００５７】
このように、本発明の光検知器１００によれば、受光部４にて受光した漏洩光から装置識別信号を検知し、この検知した装置識別信号に含まれる識別番号から装置識別情報を取得する装置識別部と、装置識別部で取得した装置識別情報を表示する識別情報表示部１０１とをさらに備えるため、通信光の有無、及び光損失の発生の有無を知ることができると共に、通信光の光量、さらには装置識別情報を検知することができる。
【００５８】
光検知器１００では、データベース１０２が外部装置に記憶されているとしたが、光検知器１００自体にデータベース１０２を備えていてもよい。例えば、回路基板６にメモリ部を設け、そのメモリ部にデータベース１０２を記憶させておき、装置識別情報を得る際にはメモリ部に記憶されたデータベース１０２を照会するようにしてもよい。
【００５９】
次に、光検知器１（或いは光検知器１００）を用いた光伝送システムを図５で説明する。
【００６０】
図５に示すように、本発明の光伝送システム２００は、本発明の光検知器１（或いは光検知器１００）を用い、光伝送路の複数箇所で通信光の光量を計測することにより、損失発生箇所を特定できるようにしたシステムである。
【００６１】
この光伝送システム２００では、Ａ区域に伝送装置Ｉ〜IVが配置され、Ｂ区域に伝送装置Ｖ，VIが配置され、Ｃ区域に伝送装置VII，VIIIが配置される。伝送装置ＩはＢ区域の伝送装置VIに接続されている。同様に、伝送装置IIは伝送装置Ｖに接続され、伝送装置IIIは伝送装置VIIに接続され、伝送装置IVは伝送装置VIIIに接続されている。このように、伝送装置同士が一対一で接続されている。
【００６２】
これらの伝送装置を接続する光伝送路中のＸ〜Ｚ地点にはそれぞれ光コネクタ３が設けられている。但し、伝送装置IIIと伝送装置VIIとを接続する光伝送路ではＸ地点及びＹ地点の２箇所のみに光コネクタ３が設けられている。
【００６３】
図５において、損失発生箇所の特定手順を具体的に説明すると、各光伝送装置同士を接続する各光伝送路中のＸ〜Ｚ地点に設けられた各光コネクタ３に光検知器１を順次接続して各地点での通信光の光量を計測し、光量が想定外に低下する区間を損失発生箇所として特定する。図５の例では、伝送装置Ｉと伝送装置VIを接続する光伝送路のＸ地点とＹ地点との間に損失発生箇所があり、Ｘ地点及びＹ地点での通信光の光量を比較することで、この区間内に損失発生箇所が存在すると特定できる。
【００６４】
このように、本発明の光伝送システム２００によれば、損失発生後、光検知器１で光伝送路の複数の地点での通信光の光量を計測することで、従来では特定困難であった損失発生箇所が特定できる。
【００６５】
また、光伝送システム２００において、各光コネクタ３に光検知器１を常時接続しておくか、定期的に光検知器１で通信光の光量を検知しておくことで、各地点での通信光の光量を経時的に観測することができるので、光伝送路の劣化及びその劣化箇所を特定できる。よって、光伝送路の劣化に応じて光伝送路の交換や切り替え等の措置を講じることで、光伝送路で通信障害が発生するのを事前に防ぐことができる。従って、光通信関連設備の保守性や運用効率を向上させることができる。
【００６６】
上記実施の形態では、光検知器１と光コネクタ３を別体として説明したが、光検知器１と光コネクタ３は一体であってもよい。
【００６７】
上記実施の形態においては、出力手段が光検知器に設けられて通信光の光量を表示する光量表示部からなる例で説明したが、これに限定されるものではなく、例えば、通信光の光量の表示や記憶（記録）などを行う光検知器とは別の場所に設置された外部媒体へ、漏洩光の光量から検知した通信光の光量を信号として出力する出力手段であってもよい。なお、このような場合には、例えば、光検知器と外部媒体とをケーブルなどの伝送線路を用いて接続して通信光の光量を含む信号を外部媒体へ出力したり、或いは、通信光の光量を含む信号を無線を用いて光検知器から外部媒体へ出力してもよい。
【符号の説明】
【００６８】
１  光検知器
２  光取り出し手段
３  光コネクタ
【図１】
2011013360.tif 000003
【図２】
2011013360.tif 000004
【図３】
2011013360.tif 000005
【図４】
2011013360.tif 000006
【図５】
2011013360.tif 000007